(57)【要約】【課題】移動手段をより正確に判定した上で、移動手段に応じたコンテンツを配信する。【解決手段】コンテンツ配信サーバ３０が、施設に関連するコンテンツを複数記憶する記憶部３２と、判定用情報として、車両６０の起動情報及び前記車両の位置情報の何れか又は双方を前記車両の車載ナビゲーション装置１０から取得する取得部３１１と、携帯端末２０に対して前記記憶部が記憶するコンテンツを配信するコンテンツ配信部３１２と、を備え、コンテンツ配信部３１２は、取得部３１１が取得した前記判定用情報に基づいて、ユーザが前記施設に車両６０にて訪問可能である否かを判定し、判定結果に基づいて、記憶部３２が記憶する複数のコンテンツの内の何れのコンテンツを携帯端末２０に対して配信するのかを決定することを特徴とする。【選択図】図１
2018200255.tif 000002
【特許請求の範囲】
【請求項１】
施設に関連するコンテンツを複数記憶する記憶部と、
判定用情報として、車両の起動情報及び前記車両の位置情報の何れか又は双方を前記車両の車載装置から取得する取得部と、
携帯端末に対して前記記憶部が記憶するコンテンツを配信するコンテンツ配信部と、を備え、
前記コンテンツ配信部は、前記取得部が取得した前記判定用情報に基づいて、ユーザが前記施設に前記車両にて訪問可能である否かを判定し、判定結果に基づいて、前記記憶部が記憶する複数のコンテンツの内の何れのコンテンツを前記携帯端末に対して配信するのかを決定することを特徴とするコンテンツ配信サーバ。
【請求項２】
前記取得部はさらに、前記携帯端末からコンテンツの配信要求を受けた場合に、前記コンテンツの配信要求元の携帯端末に対応する車両の車載装置に対して該車両の前記判定用情報を要求し、該要求の応答として該車両の前記判定用情報を前記車載装置から取得することを特徴とする請求項１に記載のコンテンツ配信サーバ。
【請求項３】
前記車両の起動を契機として、該車両の前記判定用情報を該車両の車載装置から受信して蓄積する蓄積部を更に備え、
前記取得部はさらに、前記携帯端末からコンテンツの配信要求を受けた場合に、前記コンテンツの配信要求元の携帯端末に対応する車両の判定用情報を前記蓄積部から取得することを特徴とする請求項１に記載のコンテンツ配信サーバ。
【請求項４】
前記携帯端末の識別情報と前記車両の識別情報とをユーザ毎に対応付けた顧客管理データベースを更に備え、
前記取得部はさらに、前記コンテンツの配信要求元の携帯端末から携帯端末の識別情報を取得し、該取得した携帯端末の識別情報と、前記データベースとを参照することにより、前記コンテンツの配信要求元の携帯端末に対応する車両を特定することを特徴とする請求項２又は３に記載のコンテンツ配信サーバ。
【請求項５】
前記取得部はさらに、
前記コンテンツの配信要求元の携帯端末から携帯端末の位置情報を取得し、該携帯端末の位置情報により特定される携帯端末の位置が、前記判定用情報により特定される車両の位置から所定の範囲内にある場合に該車両を前記コンテンツの配信要求元の携帯端末に対応する車両として特定する請求項２又は３に記載のコンテンツ配信サーバ。
【請求項６】
施設に関連するコンテンツを複数記憶する記憶部と、
判定用情報として、携帯端末と車両の車載装置とが連携している状態にあるか否かを示す連携情報を前記携帯端末から取得する取得部と、
携帯端末に対して前記記憶部が記憶するコンテンツを配信するコンテンツ配信部と、を備え、
前記コンテンツ配信部は、前記取得部が取得した前記判定用情報に基づいて、ユーザが前記施設に前記車両にて訪問可能である否かを判定し、判定結果に基づいて、前記記憶部が記憶する複数のコンテンツの内の何れのコンテンツを前記携帯端末に対して配信するのかを決定することを特徴とするコンテンツ配信サーバ。
【請求項７】
前記連携情報は、前記携帯端末と前記車載装置とが近距離通信を行っているか否かを示す情報であることを特徴とする請求項６に記載のコンテンツ配信サーバ。
【請求項８】
前記コンテンツ配信部はさらに、ユーザが前記施設に前記車両にて訪問可能であると判定した場合に、前記記憶部が記憶するコンテンツであって、駐車場が付帯する施設に関連するコンテンツを前記携帯端末に対して配信することを特徴とする請求項１から請求項７までの何れか１項に記載のコンテンツ配信サーバ。
【請求項９】
前記取得部はさらに、前記車両の車載装置に経路案内における目的地が設定されている場合に、前記目的地を示す情報及び目的地までの経路を示す情報の何れか又は双方を前記車載装置から取得し、
前記コンテンツ配信部は、前記記憶部が記憶するコンテンツであって、前記目的地を示す情報及び目的地までの経路を示す情報の何れか又は双方に対応したコンテンツを前記携帯端末に対して配信することを特徴とする請求項１から請求項８までの何れか１項に記載のコンテンツ配信サーバ。
【請求項１０】
施設に関連するコンテンツを複数記憶する記憶ステップと、
判定用情報として、車両の起動情報及び前記車両の位置情報の何れか又は双方を前記車両の車載装置から取得する取得ステップと、
携帯端末に対して前記記憶ステップにて記憶するコンテンツを配信するコンテンツ配信ステップと、を備え、
前記コンテンツ配信ステップでは、前記取得ステップにて取得した前記判定用情報に基づいて、ユーザが前記施設に前記車両にて訪問可能である否かを判定し、判定結果に基づいて、前記記憶ステップにて記憶する複数のコンテンツの内の何れのコンテンツを前記携帯端末に対して配信するのかを決定することを特徴とするコンテンツ配信方法。
【請求項１１】
施設に関連するコンテンツを複数記憶する記憶ステップと、
判定用情報として、携帯端末と車両の車載装置とが連携している状態にあるか否かを示す連携情報を前記携帯端末から取得する取得ステップと、
携帯端末に対して前記記憶ステップにて記憶するコンテンツを配信するコンテンツ配信ステップと、を備え、
前記コンテンツ配信ステップでは、前記取得ステップにて取得した前記判定用情報に基づいて、ユーザが前記施設に前記車両にて訪問可能である否かを判定し、判定結果に基づいて、前記記憶ステップにて記憶する複数のコンテンツの内の何れのコンテンツを前記携帯端末に対して配信するのかを決定することを特徴とするコンテンツ配信方法。
【発明の詳細な説明】
【技術分野】
【０００１】
本発明は、コンテンツを配信する、コンテンツ配信サーバ及びコンテンツ配信方法に関する。
【背景技術】
【０００２】
従来、携帯端末からの要求に応じて、コンテンツを配信するコンテンツ配信サーバが知られている。コンテンツ配信サーバを利用することにより、携帯端末を利用するユーザに対して、例えば店舗情報やクーポン等をコンテンツとして提供することが可能となる。
【０００３】
このようなコンテンツ配信サーバに関する技術の一例が、特許文献１に開示されている。特許文献１に開示の技術では、携帯端末に経路案内用のナビゲーションアプリを組み込む。そして、コンテンツ配信サーバから、このナビゲーションアプリに対して、種々のサービス情報を配信する。
また、特許文献１に開示の技術では、ＧＰＳ（Global Positioning System）により測位した位置情報に基づいて利用者の移動速度を検出する。そして、その検出した移動速度から、ユーザが徒歩で移動しているのか、あるいは、自動車や自転車で移動しているのか判定する。更に、コンテンツ配信サーバから、この判定結果に対応する内容のコンテンツを配信する。
【先行技術文献】
【特許文献】
【０００４】
【特許文献１】特開２０１６−１５１５１２号公報
【発明の概要】
【発明が解決しようとする課題】
【０００５】
特許文献１に開示の技術等を利用すれば、上述したように、移動手段に応じたコンテンツを配信することができる。
しかしながら、特許文献１に開示の技術では、単に携帯端末の移動速度のみに基づいて移動手段が何であるのかを判定しており、正確な判定ができない場合もある。例えば、ユーザが公共のバスで移動しているような場合には、移動速度を観察するだけでは、移動経路が限定される公共のバスで移動しているのか、それとも任意の経路で移動できる自動車で移動しているのかは正確には判定できない。
また、仮に自動車で移動していたとしても、渋滞等が原因となりスムーズに移動できない場合には、移動速度を観察するだけでは、自動車で移動しているのか、それとも自転車で移動しているのかは正確には判定できない。
【０００６】
そのため、判定結果を誤り、実際の移動手段には相応しくないコンテンツを提供してしまう場合も考えられる。例えば、バス移動しているユーザに対してバスの移動経路では訪問できない位置にある施設のコンテンツを提供してしまったり、自転車で移動しているユーザに対して自転車では訪問できない距離にある施設のコンテンツを提供してしまったりする。
【０００７】
本発明はこのような問題に鑑みてなされたものであり、本発明は、移動手段をより正確に判定した上で、移動手段に応じたコンテンツを配信することが可能な、コンテンツ配信サーバ及びコンテンツ配信方法を提供することを目的とする。
【課題を解決するための手段】
【０００８】
（１）本発明の第１の観点のコンテンツ配信サーバ（例えば、後述のコンテンツ配信サーバ３０）は、施設に関連するコンテンツを複数記憶する記憶部（例えば、後述の記憶部３２）と、判定用情報として、車両（例えば、後述の車両６０）の起動情報及び前記車両の位置情報の何れか又は双方を前記車両の車載装置（例えば、後述の車載ナビゲーション装置１０）から取得する取得部（例えば、後述の判定用情報取得部３１１）と、携帯端末（例えば、後述の携帯端末２０）に対して前記記憶部が記憶するコンテンツを配信するコンテンツ配信部（例えば、後述のコンテンツ配信部３１２）と、を備え、前記コンテンツ配信部は、前記取得部が取得した前記判定用情報に基づいて、ユーザが前記施設に前記車両にて訪問可能である否かを判定し、判定結果に基づいて、前記記憶部が記憶する複数のコンテンツの内の何れのコンテンツを前記携帯端末に対して配信するのかを決定する。
【０００９】
上記（１）によれば、車両に車載された車載ナビゲーション装置から取得した判定用情報に基づいて移動手段をより正確に判定した上で、移動手段に応じたコンテンツを配信することができる、という効果を奏する。
【００１０】
（２）  上記（１）に記載のコンテンツ配信サーバを、前記取得部はさらに、前記携帯端末からコンテンツの配信要求を受けた場合に、前記コンテンツの配信要求元の携帯端末に対応する車両の車載装置に対して該車両の前記判定用情報を要求し、該要求の応答として該車両の前記判定用情報を前記車載装置から取得するようにしてもよい。
【００１１】
上記（２）によれば、コンテンツの配信要求時に、判定用情報を問い合わせることから、直近の状況に応じた、最新の配信用情報を取得して、判定を行うことができる、という効果を奏する。
【００１２】
（３）  上記（１）に記載のコンテンツ配信サーバを、前記車両の起動を契機として、該車両の前記判定用情報を該車両の車載装置から受信して蓄積する蓄積部（例えば、後述の判定用情報蓄積部３１３）を更に備え、前記取得部はさらに、前記携帯端末からコンテンツの配信要求を受けた場合に、前記コンテンツの配信要求元の携帯端末に対応する車両の判定用情報を前記蓄積部から取得するようにしてもよい。
【００１３】
上記（３）によれば、コンテンの配信要求を受けた場合に、車両に対する問い合わせを行うことなく、サーバ側で判定用情報を取得して、判定を行うことができる、という効果を奏する。
【００１４】
（４）  上記（２）又は（３）に記載のコンテンツ配信サーバを、前記携帯端末の識別情報と前記車両の識別情報とをユーザ毎に対応付けた顧客管理データベース（例えば、後述の顧客管理データベース３２１）を更に備え、前記取得部はさらに、前記コンテンツの配信要求元の携帯端末から携帯端末の識別情報を取得し、該取得した携帯端末の識別情報と、前記データベースとを参照することにより、前記コンテンツの配信要求元の携帯端末に対応する車両を特定するようにしてもよい。
【００１５】
上記（４）によれば、携帯端末と車両の識別情報との対応付けを利用して、コンテンツの配信要求元の携帯端末に対応する車両を特定して、判定を行うことができる、という効果を奏する。
【００１６】
（５）  上記（２）又は（３）に記載のコンテンツ配信サーバを、前記取得部はさらに、前記コンテンツの配信要求元の携帯端末から携帯端末の位置情報を取得し、該携帯端末の位置情報により特定される携帯端末の位置が、前記判定用情報により特定される車両の位置から所定の範囲内にある場合に該車両を前記コンテンツの配信要求元の携帯端末に対応する車両として特定するようにしてもよい。
【００１７】
上記（５）によれば、予めデータベース等を用意していない場合であっても、位置情報が一致に基づいて、コンテンツの配信要求元の携帯端末に対応する車両を特定して、判定を行うことができる、という効果を奏する。
【００１８】
（６）  本発明の第２の観点のコンテンツ配信サーバは、施設に関連するコンテンツを複数記憶する記憶部（例えば、後述の記憶部３２）と、判定用情報として、携帯端末（例えば、後述の携帯端末２０）と車両（例えば、後述の車両６０）の車載装置（例えば、後述の車載ナビゲーション装置１０）とが連携している状態にあるか否かを示す連携情報を前記携帯端末から取得する取得部（例えば、後述の判定用情報取得部３１１）と、携帯端末に対して前記記憶部が記憶するコンテンツを配信するコンテンツ配信部（例えば、後述のコンテンツ配信部３１２）と、を備え、前記コンテンツ配信部は、前記取得部が取得した前記判定用情報に基づいて、ユーザが前記施設に前記車両にて訪問可能である否かを判定し、判定結果に基づいて、前記記憶部が記憶する複数のコンテンツの内の何れのコンテンツを前記携帯端末に対して配信するのかを決定する。
【００１９】
上記（６）によれば、携帯端末から取得した判定用情報に基づいて移動手段をより正確に判定した上で、移動手段に応じたコンテンツを配信することができる、という効果を奏する。
【００２０】
（７）  上記（６）に記載のコンテンツ配信サーバを、前記連携情報は、前記携帯端末と前記車載装置とが近距離通信を行っているか否かを示す情報であるようにしてもよい。
上記（７）によれば、近距離通信を行っているという乗車状態を示す判定用情報に基づいて、判定を行うことができる、という効果を奏する。
【００２１】
（８）  上記（１）から（７）の何れかに記載のコンテンツ配信サーバを、前記コンテンツ配信部はさらに、ユーザが前記施設に前記車両にて訪問可能であると判定した場合に、前記記憶部が記憶するコンテンツであって、駐車場が付帯する施設に関連するコンテンツを前記携帯端末に対して配信するようにしてもよい。
【００２２】
上記（７）によれば、移動手段に応じたコンテンツとして、車両にて移動可能な場合に利便性の高い、車両を駐車するための駐車場が付帯する施設に関連するコンテンツを配信することができる、という効果を奏する。
【００２３】
（９）  上記（１）から（８）の何れかに記載のコンテンツ配信サーバを、前記取得部はさらに、前記車両の車載装置に経路案内における目的地が設定されている場合に、前記目的地を示す情報及び目的地までの経路を示す情報の何れか又は双方を前記車載装置から取得し、前記コンテンツ配信部は、前記記憶部が記憶するコンテンツであって、前記目的地を示す情報及び目的地までの経路を示す情報の何れか又は双方に対応したコンテンツを前記携帯端末に対して配信するようにしてもよい。
【００２４】
上記（９）によれば、移動手段に応じたコンテンツであって、更に設定されている目的地も考慮したコンテンツを配信することができる、という効果を奏する。
【００２５】
（１０）  本発明の第１の観点によるコンテンツ配信方法は、施設に関連するコンテンツを複数記憶する記憶ステップと、判定用情報として、車両（例えば、後述の車両６０）の起動情報及び前記車両の位置情報の何れか又は双方を前記車両の車載装置（例えば、後述の車載ナビゲーション装置１０）から取得する取得ステップと、携帯端末（例えば、後述の携帯端末２０）に対して前記記憶ステップにて記憶するコンテンツを配信するコンテンツ配信ステップと、を備え、前記コンテンツ配信ステップでは、前記取得ステップにて取得した前記判定用情報に基づいて、ユーザが前記施設に前記車両にて訪問可能である否かを判定し、判定結果に基づいて、前記記憶ステップにて記憶する複数のコンテンツの内の何れのコンテンツを前記携帯端末に対して配信するのかを決定する。
【００２６】
上記（１０）の方法によれば、上記（１）のコンテンツ配信サーバと同様の効果を奏する。
【００２７】
（１１）  本発明の第２の観点によるコンテンツ配信方法は、施設に関連するコンテンツを複数記憶する記憶ステップと、判定用情報として、携帯端末（例えば、後述の携帯端末２０）と車両（例えば、後述の車両６０）の車載装置（例えば、後述の車載ナビゲーション装置１０）とが連携している状態にあるか否かを示す連携情報を前記携帯端末から取得する取得ステップと、携帯端末に対して前記記憶ステップにて記憶するコンテンツを配信するコンテンツ配信ステップと、を備え、前記コンテンツ配信ステップでは、前記取得ステップにて取得した前記判定用情報に基づいて、ユーザが前記施設に前記車両にて訪問可能である否かを判定し、判定結果に基づいて、前記記憶ステップにて記憶する複数のコンテンツの内の何れのコンテンツを前記携帯端末に対して配信するのかを決定する。
【００２８】
上記（１１）の方法によれば、上記（６）のコンテンツ配信サーバと同様の効果を奏する。
【発明の効果】
【００２９】
本発明によれば、移動手段をより正確に判定した上で、移動手段に応じたコンテンツを配信することが可能となる。
【図面の簡単な説明】
【００３０】
【図１】本発明の各実施形態に対応するコンテンツ配信システム全体の基本的構成を示すブロック図である。
【図２】本発明の各実施形態における車載ナビゲーション装置の機能構成を示す機能ブロック図である。
【図３】本発明の第１の実施形態及び第２の実施形態における携帯端末の機能構成を示す機能ブロック図である。
【図４】本発明の第１の実施形態及び第３の実施形態におけるコンテンツ配信サーバの機能構成を示す機能ブロック図である。
【図５】本発明の各実施形態における顧客管理データベースの例を示す図である。
【図６】本発明の各実施形態における配信されるコンテンツの一例を示す図である。
【図７】本発明の各実施形態における配信されるコンテンツの他の一例を示す図である。
【図８】本発明の各実施形態における基本的動作を示すフローチャートである。
【図９】本発明の第２の実施形態におけるコンテンツ配信サーバの機能構成を示す機能ブロック図である。
【図１０】本発明の第３の実施形態における携帯端末の機能構成を示す機能ブロック図である。
【発明を実施するための形態】
【００３１】
以下、本発明の実施形態について、図を参照しながら詳細に説明をする。なお、以下では３つの実施形態について説明をする。
３つの実施形態の概略であるが、第１の実施形態は、コンテンツ配信サーバが何れのコンテンツを携帯端末に配信するのかを、車載ナビゲーション装置に問い合わせ、この問い合わせの返信として送信された情報に基づいて決定するという実施形態である。
また、第２の実施形態は、コンテンツ配信サーバが何れのコンテンツを携帯端末に配信するのかを、車載ナビゲーション装置が起動に伴い送信を開始した情報に基づいて決定するという実施形態である。
更に、第３の実施形態は、コンテンツ配信サーバが何れのコンテンツを携帯端末に配信するのかを、携帯端末から送信された情報に基づいて決定するという実施形態である。
以下では、３つの実施形態で共通するコンテンツ配信システム１の全体構成についてまず説明をし、その後、各実施形態の詳細な構成について個別に説明をする。
【００３２】
＜コンテンツ配信システム１の全体構成＞
各実施形態で共通するコンテンツ配信システム１の全体構成について図１を参照して説明する。
図１に示すように、コンテンツ配信システム１は、車載ナビゲーション装置１０と、携帯端末２０と、コンテンツ配信サーバ３０と、を含んで構成される。これら各装置及び各端末は、通信網４０を介して相互に通信可能に接続される。
【００３３】
また、図中の左には、「乗車時」として、車両６０に車載ナビゲーション装置１０が車載され、ユーザ５０が車両６０に乗車して、車載ナビゲーション装置１０及び携帯端末２０を利用する状況を示す。また、図中の右には、「徒歩時」として、ユーザ５０が徒歩で移動して、携帯端末２０を利用する状況を示す。なお、説明の便宜上、徒歩時と記載するが、徒歩以外の自転車等の移動手段で移動している場合も含まれてよい。本実施形態では、ユーザ５０が任意に移動可能な車両６０に乗車しているのか、それともそれ以外の移動手段で移動しているのかを区別する。
【００３４】
車載ナビゲーション装置１０は、車両６０に乗車したユーザ５０に対して、経路案内（カーナビゲーション）を行う装置である。車載ナビゲーション装置１０は、ユーザ５０の要求に基づき、現在位置から目的地までの経路案内を行う。また、車載ナビゲーション装置１０は、車載ナビゲーション装置１０の位置情報（すなわち、車両６０の位置情報）を測位する機能も有する。車載ナビゲーション装置１０は、この位置情報等の情報を判定用情報としてコンテンツ配信サーバ３０に対して適宜送信する。判定用情報の詳細については後述する。
車載ナビゲーション装置１０は、移動体である車両６０に据え付けられたカーナビゲーション装置や、移動体である車両６０に簡易的に設置され可搬可能なＰＮＤ（Portable Navigation Device）によりにより実現することができる。
【００３５】
携帯端末２０は、ユーザ５０が、車両６０乗車時や、徒歩等での移動時に利用する携帯端末である。携帯端末２０は、コンテンツ配信サーバ３０に対してコンテンツの配信要求を行う。また、この配信要求の応答としてコンテンツ配信サーバ３０が送信するコンテンツを受信して出力（例えば、コンテンツの表示）をする。
携帯端末２０は、スマートフォン、携帯電話機、タブレット端末、ノートパソコン、その他の携帯可能な電子機器により実現することができる。
【００３６】
コンテンツ配信サーバ３０は、携帯端末２０に対してコンテンツを配信するサーバである。このコンテンツ配信サーバ３０の処理が、本発明の各実施形態の要旨となる。
より詳細に説明すると、コンテンツ配信サーバ３０は、判定用情報に基づいて、携帯端末２０のユーザ５０が乗車時であるのか（すなわち、ユーザ５０が車両６０による移動しているのか）、ユーザ５０が徒歩時であるのか（すなわち、ユーザ５０が徒歩により移動しているのか）を判定する。そして、ユーザ５０が乗車時であると判定された場合には、乗車時に対応する乗車時用のコンテンツを携帯端末２０に配信する。一方で、ユーザ５０が徒歩時であると判定された場合には、徒歩時に対応する徒歩時用のコンテンツを携帯端末２０に配信する。
【００３７】
本発明の各実施形態では、このようにコンテンツ配信サーバ３０が判定用情報を利用した判定を行うことにより、移動手段をより正確に判定した上で、移動手段に応じたコンテンツを配信することを可能とする、という効果を奏する。
【００３８】
このような処理を行うコンテンツ配信サーバ３０は、例えば、汎用のサーバ装置に本実施形態特有のソフトウェアを組み込むことによりにより実現することができる。
【００３９】
通信網４０は、インターネットや携帯電話網といったネットワークや、これらを組合せたネットワークにより実現される。
【００４０】
車両６０は、車載ナビゲーション装置１０や携帯端末２０のユーザ５０が乗車する移動体である。車両６０は、例えば、四輪自動車や自動二輪車等により実現される。
【００４１】
なお、図中では、これら各装置及び各端末にて送受信される情報についても図示しているが、これらの情報はあくまで一例である。本実施形態にて、図示をしている以外の情報が送受信されるようにしてもよい。また、本実施形態に含まれる各装置及び各端末の台数や、ユーザ５０の人数については特に制限はない。
以上、各実施形態にて共通する全体構成について説明をした。次に、第１の実施形態における各装置の具体的構成及び各装置の動作について説明をする。
【００４２】
［第１の実施形態］
＜車載ナビゲーション装置１０が備える機能ブロック＞
車載ナビゲーション装置１０が備える機能ブロックについて図２のブロック図を参照して説明をする。
ここで、車載ナビゲーション装置１０は、車両６０から電源の供給を受けている。そして、車両６０に乗車したユーザ５０により車両６０のイグニッションスイッチがオン（エンジンを起動）にされることによって、車載ナビゲーション装置１０は自動起動する。また、車載ナビゲーション装置１０は、車両６０に乗車したユーザ５０により車両６０のイグニッションスイッチがオフ（エンジンを停止）にされるまで稼働する。このように、車載ナビゲーション装置１０と車両６０の起動状態は連動している。
【００４３】
図２に示すように、車載ナビゲーション装置１０は、制御部１１と、記憶部１２と、通信部１３と、センサ部１４と、表示部１５と、入力部１６とを含んで構成される。
【００４４】
制御部１１は、マイクロプロセッサ等の演算処理装置から構成され、１０を構成する各部の制御を行う。制御部１１の詳細については、後述する。
【００４５】
記憶部１２は、半導体メモリ等で構成されており、ファームウェアやオペレーティングシステムと呼ばれる制御用のプログラムや、経路案内処理を行うためのプログラムや、コンテンツ配信サーバ３０に対して判定用情報を送信する処理を行うためのプログラムといった各プログラム、更にその他、地図情報等の種々の情報が記憶される。図中では、記憶部１２が記憶する情報として、経路案内処理を行うための地図情報１２１と、判定用情報を送信する処理を行うための位置情報１２２及び識別情報１２３を図示する。
【００４６】
地図情報１２１には、道路や施設等の地物に関する情報、道路情報、施設位置情報、駐車場情報等の情報が含まれる。また、地図情報１２１には他にも、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
【００４７】
道路情報としては道路の種別や信号機等のいわゆる道路地図の情報が保存されている。
施設位置情報としては、各施設の位置情報が緯度経度の情報として保存されている。また、施設位置情報として、施設の識別情報（施設ＩＤ）、名称、施設種別（及び／又はジャンル）、電話番号、住所、営業時間、施設が飲食店であれば提供するメニュー、商品役務等に関する施設情報、等の付帯的な情報が含まれていてもよい。
駐車場情報としては、駐車場の位置情報が緯度経度の情報として保存されている。駐車場が各施設の駐車場である場合には、施設と駐車場を紐付けて保存される。
【００４８】
位置情報１２２は、後述のセンサ部１４により測位された車載ナビゲーション装置１０の位置情報（すなわち、車両６０の位置情報）である。位置情報１２２には、測位された位置を示す情報のみならず、測位を行った時刻である測位時刻も含まれるようにするとよい。
【００４９】
また、識別情報１２３は、車載ナビゲーション装置１０が車載された車両６０を識別するための情報である。識別情報１２３としては、例えば車両６０に固有に付与されたＶＩＮ（車両識別番号）やナンバープレートの番号を利用することができる。また、他にも、車載ナビゲーション装置１０に関する情報を、車両６０を識別するための識別情報１２３として利用するようにしてもよい。例えば、車載ナビゲーション装置１０に一意に割り当てられた製造番号等を識別情報１２３として利用することができる。また、他にも、通信部１３が携帯電話網等のネットワークである通信網４０に接続するために、通信部１３に挿入されたＳＩＭ（Subscriber Identity Module）に付与された電話番号を識別情報１２３として利用することができる。
【００５０】
これらの記憶部１２に格納される各情報については、記憶部１２に予め記憶しておく構成としてもよいし、通信網４０に接続されたコンテンツ配信サーバ３０や、他のサーバ装置（図示を省略する。）等から必要に応じて適宜ダウンロードされる構成としてもよい。更に、ユーザ５０の入力等に応じて適宜修正されてもよい。
【００５１】
通信部１３は、ＤＳＰ（Digital Signal Processor）等を有し、３Ｇ（3rd Generation）、ＬＴＥ（Long Term Evolution）やＷｉ−Ｆｉ（登録商標）といった規格に準拠して、通信網４０を介して通信網４０を介した他の装置（例えば、コンテンツ配信サーバ３０）との間の無線通信を実現する。通信部１３は、例えば、後述の判定用情報送信部１１２が、判定用情報を、コンテンツ配信サーバ３０に対して送信するために利用される。ただし、通信部１３と他の装置との間で送受信されるデータに特に制限はなく、判定用情報以外の情報が送受信されるようにしてもよい。
【００５２】
センサ部１４は、例えばＧＰＳ（Global Positioning System）センサ、ジャイロセンサ、加速度センサ等により構成される。センサ部１４は、位置情報を検出する位置検出手段としての機能を備え、ＧＰＳセンサによりＧＰＳ衛星信号を受信し、車載ナビゲーション装置１０の位置情報（緯度及び経度）を測位する。センサ部１４による測位は、上述したように所定の時間間隔（例えば３秒間隔）で行われる。測位した位置情報は、位置情報１２２として記憶部１２に格納される。
【００５３】
なお、センサ部１４は、ジャイロセンサ、加速度センサにより測定される角速度や、加速度に基づいて車載ナビゲーション装置１０の位置情報の測位精度を更に高めることも可能である。
また、センサ部１４は、ＧＰＳ通信が困難又は不可能となった場合に、ＡＧＰＳ（Assisted Global Positioning System）通信を利用し、通信部１３から取得される基地局情報によって車載ナビゲーション装置１０の位置情報を算出することも可能である。
【００５４】
表示部１５は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、車載ナビゲーション装置１０の現在位置、地図情報１２１から読み出された車載ナビゲーション装置１０の現在位置周辺の地図情報、ユーザ５０に設定された目的地、他の車載ナビゲーション装置１０から通知された待ち合わせ情報、コンテンツ配信サーバ３０から配信された経路情報に基づいた地元ルート情報、その他のルート情報、各種のユーザインタフェース等が挙げられる。
【００５５】
入力部１６は、テンキーと呼ばれる物理スイッチや表示部１５の表示面に重ねて設けられたタッチパネル等の入力装置（図示を省略する。）等で構成される。入力部１６からの操作入力、例えばユーザ５０によるテンキーの押下、タッチパネルのタッチに基づいた信号を制御部１１に出力することで、ユーザ５０による選択操作や、地図の拡大縮小等の操作を実現することができる。
【００５６】
なお、この他、図示しないが、車載ナビゲーション装置１０は、スピーカやマイク等を備えることもできる。スピーカは、運転者に対して音声出力を行い、マイクは、運転者によって発せられた音声等を集音する。
そうすることで、情報をスピーカから音声で出力したり、マイクを介して音声入力された運転者による各種の選択、指示を音声認識技術により、制御部１１に入力したりすることもできる。
【００５７】
次に、制御部１１の詳細について説明をする。制御部１１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部１２から読み出した各プログラムを実行し、その実行の際にはＲＡＭ、ＲＯＭ、及び記憶部１２から情報を読み出し、ＲＡＭ及び記憶部１２に対して情報の書き込みを行い、通信部１３、センサ部１４、表示部１５、及び入力部１６と信号の授受を行う。そして、このようにして、ハードウェアとソフトウェア（プログラム）が協働することにより本実施形態における処理は実現される。
【００５８】
制御部１１は、機能ブロックとして、経路案内部１１１及び判定用情報送信部１１２を備える。
経路案内部１１１は、ユーザ５０によって入力又は選択された施設等の目的地までの経路案内処理を行う部分である。
目的地までの経路案内処理は、一般的なカーナビゲーションシステムにおける経路案内処理と同等である。すなわち、経路案内部１１１は、記憶部１２に記憶されている地図情報１２１に基づいて目的地までの地図を生成し、この地図上にセンサ部１４により測位された車載ナビゲーション装置１０の現在位置と目的地の位置と目的地までのルート情報とを重ね、これを表示部１５に表示することにより経路案内を行うことができる。この場合に、経路案内部１１１は、コンテンツ配信サーバ３０から配信された経路情報である地元ルート情報や、後述の一般ルート情報等のルート情報を経路案内用のルート情報として利用することができる。
【００５９】
更に、この場合に、図示を省略したスピーカから経路案内用の音声を出力するようにしてもよい。また、道路の混雑状況の情報や天気の情報等を通信部１３による通信により取得して、この取得した情報を経路案内処理に利用するようにしてもよい。例えば、通信部１３を介してＶＩＣＳ（登録商標）（Vehicle Information Communication System）等から取得した道路状況（例えば、渋滞状況等）を経路案内処理に利用するようにしてもよい。なお、目的地までの経路案内処理については、当業者によく知られているので、これ以上の詳細な説明は省略する。
【００６０】
判定用情報送信部１１２は、通信部１３を利用した無線通信により、判定用情報をコンテンツ配信サーバ３０に対して送信する部分である。本実施形態では、コンテンツ配信サーバ３０から判定用情報の問い合わせがあった場合に、その応答として判定用情報送信部１１２が判定用情報をコンテンツ配信サーバ３０に対して送信する。
ここで、本実施形態における判定用情報は、車載ナビゲーション装置１０が車載された車両６０の識別情報である識別情報１２３を含む。また、判定用情報は、この車両６０が起動しているか否かを示す情報である起動情報、及び記憶部１２に格納されている位置情報１２２の何れか又は双方を少なくとも含む。
【００６１】
起動情報としては、車両６０の起動状態を示すデータ（例えば、起動状態を示すフラグのデータ）を判定用情報に含ませることが考えられる。ただし、本実施形態では上述したように、車両６０の起動状態と車載ナビゲーション装置１０の起動状態は連動している。そのため、車載ナビゲーション装置１０が判定用情報を送信できるということは、すなわち、車両６０も起動していることを示す。そのため、起動状態を示すデータ（例えば、起動状態を示すフラグのデータ）を特に判定用情報に含ませなくても実質的に起動情報を含ませることとなる。
【００６２】
ただし、仮に車載ナビゲーション装置１０がバッテリ等を備えている場合には、車両６０の起動に関わらず、車載ナビゲーション装置１０が起動している場合もあり得る。つまり、車載ナビゲーション装置１０と車両６０の起動状態が連動しない場合もある。この場合には、車載ナビゲーション装置１０は、車両６０が起動しているか否かを監視し、この監視結果に基づいて、起動情報としてのデータ（例えば、起動状態を示すフラグのデータ）を更に判定用情報に含ませる。
【００６３】
＜携帯端末２０が備える機能ブロック＞
次に、携帯端末２０が備える機能ブロックについて図３のブロック図を参照して説明をする。
ここで、上述した車載ナビゲーション装置１０は、携帯端末２０は自身が備えるバッテリ（図示を省略する。）から電源の供給を受けるため、車両６０から電源の供給を受けることなく動作をする。ただし、バッテリを充電するために携帯端末２０が車両６０のシガーソケット等から電源の供給を受けるようにしてもよい。
【００６４】
図３に示すように、携帯端末２０は、制御部２１と、記憶部２２と、通信部２３と、センサ部２４と、表示部２５と、入力部２６と、近距離通信部２７とを含んで構成される。
ここで、記憶部２２と、通信部２３と、センサ部２４と、表示部２５と、入力部２６は、上述した車載ナビゲーション装置１０が含む同名の機能ブロックと同等の機能を有している。つまり、上述した車載ナビゲーション装置１０の説明における「車載ナビゲーション装置１０」の文言を「携帯端末２０」を置き換え、更に同名の機能ブロックの符号の番号を置き換えることにより、携帯端末２０の各機能ブロックの説明となるので、重複する再度の説明は省略する。
【００６５】
一方で、携帯端末２０は、制御部２１が備える機能ブロックが異なる点と、近距離通信部２７を含んでいる点で、車載ナビゲーション装置１０と相違するので、この相違点について、以下説明をする。
【００６６】
制御部２１は、制御部１１と同様に、マイクロプロセッサ等の演算処理装置から構成され、携帯端末２０を構成する各部の制御を行う。また、ハードウェアとソフトウェア（プログラム）が協働することにより制御部２１による制御が実現される。この点は、制御部１１と同様であるので、この点についての重複する説明を省略する。
【００６７】
制御部１１と相違する点として、制御部２１は、機能ブロックとしてコンテンツ要求部２１１を備える。コンテンツ要求部２１１は、コンテンツ配信サーバ３０に対して、コンテンツの配信要求を送信する部分である。
ここで、本実施形態におけるコンテンツの配信要求には、記憶部２２に格納されている識別情報２２２を少なくとも含む。更に、コンテンツの配信要求には、記憶部２２に格納されている位置情報２２２（すなわち、携帯端末２０の位置情報）を含ませるようにしてもよい。
【００６８】
そして、コンテンツ配信サーバ３０は、コンテンツの配信要求の応答として、携帯端末２０に対してコンテンツを配信する。なお、これらの送受信は通信部２３を介して行われる。
ここで、コンテンツは例えば、静止画や動画や音の何れか又は組合せ等である。コンテンツ配信サーバ３０は、これらコンテンツを構成する静止画や動画や音のデータそのものや、ネットワーク上でこれらのコンテンツを閲覧するためのＵＲＬ（Uniform Resource Locator）等を配信する。この際に、コンテンツ配信サーバ３０が、携帯端末２０のユーザ５０が乗車時であるのか、或いは徒歩時であるのかに応じたコンテンツを配信する点については上述した通りである。
【００６９】
コンテンツ要求部２１１によるコンテンツの配信要求の送信は、周期的に行われてもよいが、入力部２６が、ユーザ５０からコンテンツの配信要求に対応する操作を受け付けたことを契機として行われてもよい。また、コンテンツ配信サーバ３０から、配信されたコンテンツ（或いは配信されたＵＲＬに基づいてコンテンツ要求部２１１が取得するコンテンツ）は、表示部２５に表示される。更に、このコンテンツに音が含まれる場合には、図示を省略したスピーカから出力される。
【００７０】
近距離通信部２７は、ＮＦＣ（Near Field Communication）やＢｌｕｅｔｏｏｔｈ（登録商標）といった規格に準拠した非接触の近距離通信、又はＵＳＢ（Universal Serial Bus）ケーブル等を介した有線による近距離通信を行うための部分である。
これに対応して、車載ナビゲーション装置１０又は車両６０は、近距離通信部２７と通信を行うための近距離通信部を備える。この場合、例えば車両６０のＥＣＵ（Electronic Control Unit）が近距離通信部を備える。
【００７１】
そして、携帯端末２０が車載ナビゲーション装置１０又は車両６０と近距離通信により通信することができる場合とは、すなわち、携帯端末２０が車両６０の車内に存在する場合である。この場合、携帯端末２０のセンサ部２４が測位する位置情報は、車両６０の位置情報に相当することになる。
【００７２】
なお、車両６０が位置情報を測位する機能を有している場合には、携帯端末２０は、センサ部２４が測位する位置情報ではなく、車両６０が測位する位置情報を取得するようにしてもよい。この場合、携帯端末２０から、センサ部２４を省略するようにしてもよい。
【００７３】
＜コンテンツ配信サーバ３０が備える機能ブロック＞
次に、コンテンツ配信サーバ３０が備える機能ブロックについて図４のブロック図を参照して説明をする。
【００７４】
図４に示すように、コンテンツ配信サーバ３０は、制御部３１と、記憶部３２と、通信部３３と、表示部３４と、入力部３５と、を含んで構成される。
【００７５】
制御部３１は、マイクロプロセッサ等の演算処理装置から構成され、３０を構成する各部の制御を行う。制御部３１の詳細については、後述する。
【００７６】
記憶部３２は、半導体メモリ等で構成されており、ファームウェアやオペレーティングシステムと呼ばれる制御用のプログラムや、コンテンツの配信を行うためのプログラムといった各プログラム、更にその他、顧客を管理するための顧客管理データベースや、種々のコンテンツ等の種々の情報が記憶される。図中には、記憶部３２が記憶する情報として、コンテンツ配信サーバ３０によるコンテンツの配信処理に関する情報である、顧客管理データベース３２１及びコンテンツ群３２２を図示する。
【００７７】
顧客管理データベース３２１は、携帯端末２０の識別情報と車両６０の識別情報とをユーザ毎に対応付けたデータベースである。顧客管理データベース３２１は、例えば、車両６０の販売時や、本実施形態におけるコンテンツの配信を受けるためのユーザ情報登録時に取得された、識別情報に基づいて構築及び更新される。なお、本実施形態では、顧客管理データベース３２１は、図示を省略している外部装置により構築及び更新されてコンテンツ配信サーバ３０に送信されることを想定する。ただし、これを変形して、コンテンツ配信サーバ３０にて、顧客管理データベース３２１を構築及び更新するようにしてもよい。
【００７８】
顧客管理データベース３２１の一例について図５を参照して説明する。図５に示すように顧客管理データベース３２１は、属性として「ユーザＩＤ」「車両ＩＤ」及び「携帯端末ＩＤ」を含む。
ここで、「ユーザＩＤ」はユーザを識別するための識別情報であり、例えば、ユーザの氏名や、ユーザ毎に割り当てられたユニークな情報（例えば、テキストデータの組合せ）により実現される。
また、「車両ＩＤ」は車両６０を識別するための識別情報であり、例えば、ユーザＩＤのように、車両６０毎に割り当てられたユニークな情報（例えば、テキストデータの組合せ）により実現される。なお、この車両ＩＤは、車載ナビゲーション装置１０が記憶する識別情報１２３と対応する情報である。
更に、「携帯端末ＩＤ」は携帯端末２０を識別するための識別情報であり、例えば、ユーザＩＤのように、携帯端末２０毎に割り当てられたユニークな情報（例えば、テキストデータの組合せ）により実現される。なお、この携帯端末ＩＤは、携帯端末２０が記憶する識別情報２２２と対応する情報である。
【００７９】
このようなそれぞれの属性に対応する情報が、顧客管理データベース３２１の各フィールドに格納されている。なお、顧客ＩＤ「ＡＡＡ」のように、顧客ＩＤ、車両ＩＤ及び携帯端末ＩＤが、それぞれ一対一で対応付けられていてもよいし、顧客ＩＤ「ＢＢＢ」のように、１つの車両ＩＤに複数の携帯端末ＩＤが対応付けられていてもよいし、顧客ＩＤ「ＣＣＣ」のように、１つの顧客ＩＤに、複数の車両ＩＤ及び携帯端末ＩＤが対応付けられていてもよい。すなわち、各ＩＤを一対一や、一対多や、多対多で対応付けることが可能である。
【００８０】
コンテンツ群３２２は、コンテンツ配信サーバ３０がコンテンツの配信要求の応答として、携帯端末２０に対して配信するコンテンツの群である。コンテンツ群３２２は、複数のコンテンツを含む。また、そのコンテンツに特に制限はないが、本実施形態では、施設に関するコンテンツを含むものとする。施設についても特に制限はないが、例えば飲食店や物品の販売店等の施設を含むものとする。
【００８１】
コンテンツは、上述したように例えば、静止画や動画や音の何れか又は組合せ等である。コンテンツ配信サーバ３０は、これらコンテンツを構成する静止画や動画や音のデータそのものや、ネットワーク上でこれらのコンテンツを閲覧するためのＵＲＬ（Uniform Resource Locator）を配信する。なお、コンテンツ配信サーバ３０が、携帯端末２０のユーザ５０が乗車時であるのか、或いは徒歩時であるのかに応じたコンテンツを配信する点については上述した通りである。コンテンツ群３２２に含まれるコンテンツの具体例については後述する。
【００８２】
通信部３３は、ＤＳＰ（Digital Signal Processor）等を有し、３Ｇ（3rd Generation）ＬＴＥ（Long Term Evolution）やＷｉ−Ｆｉ（登録商標）といった規格に準拠して、通信網４０を介して通信網４０を介した他の装置との間の無線通信を実現する。通信部３３は、例えば、車載ナビゲーション装置１０から送信される判定用情報や、携帯端末２０から送信されるコンテンツの配信要求を受信するために利用される。また、他にも通信部３３は、例えば、車載ナビゲーション装置１０に対して判定用情報の問い合わせを送信するためや、携帯端末２０に対してコンテンツを送信するために利用される。
ただし、通信部３３と他の装置との間で送受信されるデータに特に制限はなく、これらの情報以外の情報が送受信されるようにしてもよい。
【００８３】
表示部３４は、液晶ディスプレイ、又は有機エレクトロルミネッセンスパネル等の表示デバイスにより構成される。表示部３４は、制御部３１からの指示を受けて画像を表示する。入力部３５は、キーボードやマウス等の入力装置（図示を省略する。）等で構成される。表示部３４及び入力部３５は、例えば、コンテンツ配信サーバ３０を管理する管理者等に利用される。
【００８４】
次に、制御部３１の詳細について説明をする。制御部３１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部３２から読み出した各プログラムを実行し、その実行の際にはＲＡＭ、ＲＯＭ、及び記憶部３２から情報を読み出し、ＲＡＭ及び記憶部３２に対して情報の書き込みを行い、通信部３３、表示部３４、及び入力部３５と信号の授受を行う。そして、このようにして、ハードウェアとソフトウェア（プログラム）が協働することにより本実施形態における処理は実現される。
【００８５】
制御部３１は、機能ブロックとして、判定用情報取得部３１１及びコンテンツ配信部３１２を含む。
判定用情報取得部３１１は、携帯端末２０のコンテンツ要求部２１１からコンテンツの配信要求があった場合に、車載ナビゲーション装置１０の判定用情報送信部１１２に対して判定用情報の問い合わせを行う。そして、その応答として判定用情報送信部１１２が送信する判定用情報を受信することにより、判定用情報を取得する。
判定用情報取得部３１１が取得した判定用情報は、コンテンツ配信部３１２に対して出力される。
【００８６】
ここで、本実施形態では、携帯端末２０や車載ナビゲーション装置１０の台数は限定されず、それぞれが複数存在する。またそれぞれを利用するユーザ５０も異なる。
そのため、判定用情報取得部３１１は、何れかの携帯端末２０からコンテンツの配信要求を受けた場合に、全ての車載ナビゲーション装置１０に対して問い合わせを行うのではなく、この配信要求元の携帯端末２０に対応する車載ナビゲーション装置１０に対して問い合わせを行う必要がある。
【００８７】
コンテンツ配信部３１２が、配信要求元の携帯端末２０に対応する車載ナビゲーション装置１０を特定する方法として、２つの方法がある。
まず、第１の方法は、顧客管理データベース３２１における対応付けを利用して、配信要求元の携帯端末２０に対応する車載ナビゲーション装置１０を特定するという方法である。
上述したように、本実施形態におけるコンテンツの配信要求には、記憶部２２に格納されている識別情報２２２を含んでいる。そして、コンテンツ配信部３１２は、この識別情報２２２と顧客管理データベース３２１における対応付けとに基づいて、配信要求元の携帯端末２０に対応する車載ナビゲーション装置１０を特定することができる。
【００８８】
また、第２の方法は、位置情報を利用するという方法である。コンテンツの配信要求に携帯端末２０の位置を示す情報である位置情報２２２が含まれている場合には、この位置情報２２２と、各車載ナビゲーション装置１０の位置情報（位置情報１２２）と、を比較する。そして、位置情報２２２により特定される位置が、何れかの車載ナビゲーション装置１０の位置情報（位置情報１２２）により特定される位置と所定範囲内にある場合に、この車載ナビゲーション装置１０が配信要求元の携帯端末２０に対応する車載ナビゲーション装置１０であると特定することができる。なお、所定の範囲は、車載ナビゲーション装置１０や携帯端末２０の各センサ部による測位精度等に応じて任意の範囲とすることができる。ここで、第２の方法を実現するためには、各車載ナビゲーション装置１０の位置情報（位置情報１２２）を含ませた判定用情報を、判定用情報取得部３１１が周期的に取得しておく必要がある。この周期的な取得の詳細については、第２の実施形態の説明として後述する。
【００８９】
何れかの方法により、判定用情報取得部３１１は、配信要求元の携帯端末２０に対応する車載ナビゲーション装置１０を特定すると、特定した車載ナビゲーション装置１０に対して判定用情報の問い合わせを行う。判定用情報取得部３１１は、この問い合わせの応答として、車載ナビゲーション装置１０から送信される判定用情報を取得する。そして、判定用情報取得部３１１は、取得した判定用情報をコンテンツ配信部３１２に対して出力する。
【００９０】
コンテンツ配信部３１２は、記憶部３２が記憶するコンテンツ群３２２内に含まれる複数のコンテンツの内の何れかのコンテンツを携帯端末２０に対して配信する部分である。
コンテンツ配信部３１２は、判定用情報取得部３１１が取得した判定用情報に基づいて、ユーザ５０がコンテンツに対応する施設に車両６０にて訪問可能である否かを判定する。
【００９１】
具体的には、判定用情報に含まれる起動情報が、車両６０が起動していることを示す場合に、ユーザ５０がコンテンツに対応する施設に車両６０にて訪問可能であると判定する。一方で、判定用情報に含まれる起動情報が、車両６０が起動していることを示さない場合に、ユーザ５０がコンテンツに対応する施設に車両６０にて訪問することは不可能であると判定する。また、問い合わせに対して、車載ナビゲーション装置１０から判定用情報が送信されなかった場合には車載ナビゲーション装置１０に電源を供給する車両６０が起動していないと考えられるので、この場合にも、ユーザ５０がコンテンツに対応する施設に車両６０にて訪問することは不可能であると判定する。
【００９２】
そして、コンテンツ配信部３１２は、判定結果に基づいて、記憶部３２が記憶するコンテンツ群３２２内に含まれる複数のコンテンツの内の何れのコンテンツを携帯端末２０に対して配信するのかを決定する。配信されたコンテンツは、携帯端末２０の説明として上述した方法で、ユーザ５０に対して出力される。
【００９３】
＜配信されるコンテンツの具体例＞
次に、コンテンツ配信部３１２から、携帯端末２０に対して配信されるコンテンツの具体例について図６及び図７を参照して説明をする。以下では、配信されたコンテンツが携帯端末２０の表示部２５に表示された場合を例に取って説明をする。
【００９４】
まず、図６を参照して、コンテンツ配信部３１２が、ユーザ５０がコンテンツに対応する施設に車両６０にて訪問可能であると判定した場合に配信されるコンテンツの例について説明をする。
この場合、ユーザ５０が車両６０にて訪問可能であることを考慮したコンテンツを配信する。例えば、車両６０を駐車するための駐車場が付帯した施設のコンテンツを配信する。
【００９５】
図６の例では、駐車場が付帯した施設である「□□バーガーハウス」という飲食店についての情報をコンテンツとして表示している。このコンテンツには、駐車場が付帯することを示す「駐車場あり」という情報のみならず、この店舗の住所や電話番号といった情報や、提供する商品の画像の情報が含まれる。
【００９６】
また、コンテンツの配信要求に携帯端末２０の位置を示す情報である位置情報２２２が含まれている場合には、この位置情報２２２により特定される位置から、車両６０にて移動可能であるが徒歩では移動が困難な距離にある遠方の施設のコンテンツを配信するようにしてもよい。この場合、この位置情報２２２により特定される位置から店舗までの距離や、車両６０にて店舗まで移動した場合の到着予定時刻等を図６に示すようにして含ませてもよい。なお、この場合には、経路案内のための機能や地図情報等の情報を、コンテンツ配信サーバ３０が更に備えるようにするとよい。
【００９７】
更に、例えば表示部２５をタッチパネルで実現するような場合に、図６に示すように「店舗詳細」や「クーポン情報」等の操作ボタンを表示し、ユーザが操作によりこれらの操作ボタンを押下した場合に、「店舗詳細」や「クーポン情報」等に対応する更なるコンテンツを表示するようにしてもよい。
【００９８】
この更なるコンテンツは、現在表示中のコンテンツと同時に配信してもよく、操作ボタンの押下があった場合に、携帯端末２０とコンテンツ配信サーバ３０が通信を行うことにより、新たに配信するようにしてもよい。また、例えば配信するクーポン（コンテンツ）の内容を、ユーザ５０が車両６０にて訪問可能であることを前提とした内容としてもよい。例えば、ユーザ５０が車両６０にて訪問可能であることを前提として、駐車場の無料利用券等をクーポン（コンテンツ）として配信してもよい。
【００９９】
次に、図６を参照して、コンテンツ配信部３１２が、ユーザ５０がコンテンツに対応する施設に車両６０にて訪問することは不可能であると判定した場合に配信されるコンテンツの例について説明をする。
この場合、ユーザ５０が車両６０にて訪問することは不可能であることを考慮したコンテンツを配信する。例えば、車両６０を駐車するための駐車場が付帯しているかいないかを区別することなく、駐車場が付帯していない施設のコンテンツも配信する。
【０１００】
図６の例では、駐車場が付帯していない施設である「中華△△軒」という飲食店についての情報をコンテンツとして表示している。このコンテンツには、駐車場が付帯していないことを示す「駐車場なし」という情報のみならず、この店舗の住所や電話番号といった情報や、提供する商品の画像の情報が含まれる。
【０１０１】
また、コンテンツの配信要求に携帯端末２０の位置を示す情報である位置情報２２２が含まれている場合には、この位置情報２２２により特定される位置から、徒歩では移動が可能な距離にある近方の施設のコンテンツを配信するようにしてもよい。この場合、この位置情報２２２により特定される位置から店舗までの距離や、ユーザ５０が徒歩にて店舗まで移動した場合の到着予定時刻等を図６に示すようにして含ませてもよい。なお、この場合には、経路案内のための機能や地図情報等の情報を、コンテンツ配信サーバ３０が更に備えるようにするとよい。
【０１０２】
更に、図６を参照して説明した例と同様にして、「店舗詳細」や「クーポン情報」等に対応する更なるコンテンツを表示するようにしてもよい。また、例えば配信するクーポン（コンテンツ）の内容を、ユーザ５０が車両６０にて訪問することは不可能であることを前提とした内容としてもよい。例えば、ユーザ５０が車両６０ではなく徒歩で訪問することを前提として、車両６０運転時には摂取できないアルコール飲料のサービス券等をクーポン（コンテンツ）として配信してもよい。
【０１０３】
＜本実施形態の動作＞
次に、本実施形態におけるコンテンツ配信時の動作について、図８のフローチャートを参照して説明する。
まず、ステップＳ１１において、判定用情報取得部３１１は、携帯端末２０からコンテンツの配信要求を受信したか否かを判定する。
ここで、携帯端末２０からコンテンツの配信要求を受信していない場合には、ステップＳ１１にてＮｏと判定され、ステップＳ１１の判定が繰り返される。一方で、携帯端末２０からコンテンツの配信要求を受信した場合には、ステップＳ１１にてＹｅｓと判定され、処理はステップＳ１２に進む。
【０１０４】
ステップＳ１２において、判定用情報取得部３１１は、車載ナビゲーション装置１０に対して、判定用情報を問い合わせる。
【０１０５】
ステップＳ１３において、コンテンツ配信部３１２は、判定用情報取得部３１１が取得した判定用情報に基づいて、ユーザ５０がコンテンツに対応する施設に車両６０にて訪問可能である否かを判定する。具体的な判定方法については、判定用情報取得部３１１の説明として上述した通りである。
【０１０６】
ステップＳ１４において、コンテンツ配信部は、ステップＳ１３における判定結果が、ユーザ５０がコンテンツに対応する施設に車両６０にて訪問可能であるとの結果であった否かを判定する。判定結果が、ユーザ５０がコンテンツに対応する施設に車両６０にて訪問可能であるとの結果であれば、ステップＳ１４においてＹｅｓと判定され、処理はステップＳ１５に進む。一方で、判定結果が、ユーザ５０がコンテンツに対応する施設に車両６０にて訪問することは不可能であるとの結果であれば、ステップＳ１４においてＮｏと判定され、処理はステップＳ１６に進む。
【０１０７】
ステップＳ１５において、ユーザ５０が車両６０にて訪問可能であることを考慮したコンテンツを配信する。例えば図６を参照して説明したようなコンテンツを配信する。これにより、本処理は終了する。
一方で、ステップＳ１６において、ユーザ５０が車両６０にて訪問することは不可能であることを考慮したコンテンツを配信する。例えば図７を参照して説明したようなコンテンツを配信する。これにより、本処理は終了する。
【０１０８】
以上説明した動作により、本実施形態では、車両６０に車載された車載ナビゲーション装置１０から取得した判定用情報に基づいて移動手段をより正確に判定した上で、図６や図７を参照して説明したような移動手段に応じたコンテンツを配信することができる。
【０１０９】
［第２の実施形態］
次に、第２の実施形態について説明を行う。ここで、第２の実施形態は、コンテンツ配信サーバ３０が何れのコンテンツを携帯端末に配信するのかを、車載ナビゲーション装置１０が起動に伴い送信を開始した判定用情報に基づいて決定するという実施形態である。
なお、本実施形態の基本的な構成及び動作内容等は第１の実施形態と共通する。そこで、以下では、この共通点についての重複する説明は省略し、第１の実施形態との相違点について詳細に説明をする。
【０１１０】
＜本実施形態の車載ナビゲーション装置１０について＞
まず、車載ナビゲーション装置１０について説明をする。第１の実施形態において、判定用情報は、コンテンツ配信サーバ３０からの問い合わせがあった場合に、車載ナビゲーション装置１０の判定用情報送信部１１２からコンテンツ配信サーバ３０に対して送信されていた。これに対して、本実施形態では、車載ナビゲーション装置１０の起動に伴い、判定用情報送信部１１２からコンテンツ配信サーバ３０に対しての判定用情報の送信を開始する。
【０１１１】
具体的には、判定用情報送信部１１２による、コンテンツ配信サーバ３０に対する判定用情報の送信は、車両６０に乗車したユーザ５０により車両６０のイグニッションスイッチがオン（エンジンを起動）にされ、車載ナビゲーション装置１０が自動起動してから、車両６０のイグニッションスイッチがオフ（エンジンを停止）にされるまでの間、周期的に行われる。例えば、所定の時間間隔（例えば３秒間隔）でセンサ部１４が測位を行う都度、リアルタイムに送信が行われる。
【０１１２】
また、リアルタイムにコンテンツ配信サーバ３０に送信する替わりに、複数個まとめて（例えば３分間分の間に３秒間隔で更新された位置情報１２２を含ませて）、一度に送信するようにしてもよい。すなわち、いわゆるバースト送信をするようにしてもよい。かかる、所定の時間間隔の長さや、リアルタイムに送信するか、それともバースト送信するかは、本実施形態を適用する環境等に応じて、任意に設定することができる。
このようにして、リアルタイム送信やバースト送信を行うことにより、判定用情報送信部１１２は、判定用情報を、コンテンツ配信サーバ３０に対して周期的に送信する。
【０１１３】
＜本実施形態のコンテンツ配信サーバ３０について＞
次に、本実施形態におけるコンテンツ配信サーバ３０ａの構成について図９のブロックを参照して説明をする。
本実施形態におけるコンテンツ配信サーバ３０ａは、図４を参照して説明した第１の実施形態におけるコンテンツ配信サーバ３０と比較して、更に判定用情報蓄積部３１３が追加された点と、記憶部３２が蓄積判定用情報３２３を記憶している点で相違する。
【０１１４】
上述したように、本実施形態における車載ナビゲーション装置１０の判定用情報送信部１１２は、判定用情報を、コンテンツ配信サーバ３０に対して周期的に送信する。
この周期的な送信に対応して、コンテンツ配信サーバ３０は判定用情報蓄積部３１３を備えている。そして、判定用情報蓄積部３１３は、周期的に送信される判定用情報を受信し、受信した判定用情報を、蓄積判定用情報３２３として記憶部３２に記憶させる。蓄積判定用情報３２３は、各車載ナビゲーション装置１０が車載されている車両６０それぞれの識別情報と、起動状態を示す情報を対応付けた情報となる。判定用情報蓄積部３１３は、周期的に送信される判定用情報を受信する都度、蓄積判定用情報３２３を更新する。
【０１１５】
＜本実施形態の動作＞
このような構成において、本実施形態におけるコンテンツ配信部３１２は、携帯端末２０からコンテンツの配信要求があった場合に、この携帯端末２０に対応する車載ナビゲーション装置１０に判定用情報を問い合わせるのではなく、蓄積判定用情報３２３を参照することにより、この携帯端末２０に対応する車載ナビゲーション装置１０に対応する判定用情報を取得する。つまり、本実施形態では図８におけるステップＳ１２での問い合わせ先が第１の実施形態とは異なる。
【０１１６】
その後のステップＳ１３以降の処理や、ステップＳ１１の処理については、第１の実施形態と本実施形態で共通であるので、重複する説明を省略する。
【０１１７】
以上、本実施形態においても、判定用情報に基づいて移動手段をより正確に判定した上で、図６や図７を参照して説明したような移動手段に応じたコンテンツを配信することができる。また、本実施形態では、携帯端末２０からコンテンツの配信要求がある都度、コンテンツ配信サーバ３０から車載ナビゲーション装置１０に対して判定用情報を問い合わせることを省略することが可能となる。
【０１１８】
特に、本実施形態は、判定用情報に含まれる移動情報等を、コンテンツの配信以外の用途で蓄積しているような環境に実装することが好適である。例えば、サーバを利用した経路案内のためや、渋滞情報の生成のためや、ユーザ５０の移動経路の分析等の用途で、車両６０の移動情報を収集するシステムが存在する。このようなシステムに本実施形態を適用することにより、他の用途で収集した移動情報を、判定用情報としても利用することが可能となる。
【０１１９】
［第３の実施形態］
次に、第３の実施形態について説明を行う。ここで、第３の実施形態は、コンテンツ配信サーバ３０が何れのコンテンツを携帯端末２０に配信するのかを、携帯端末２０から送信された情報に基づいて決定するという実施形態である。
【０１２０】
なお、第２の実施形態と同様に、本実施形態の基本的な構成及び動作内容等は第１の実施形態と共通する。そこで、以下では、この共通点についての重複する説明は省略し、第１の実施形態との相違点について詳細に説明をする。
【０１２１】
＜本実施形態の携帯端末２０について＞
次に、本実施形態における携帯端末２０ａの構成について図１０のブロックを参照して説明をする。
本実施形態における携帯端末２０ａは、図３を参照して説明した第１の実施形態における携帯端末２０と比較して、更に判定用情報送信部２１２が追加された点と、記憶部３２が連携情報２２３を記憶している点で相違する。
【０１２２】
連携情報２２３は、携帯端末２０ａが、車両６０又は車載ナビゲーション装置１０と連携をしているか否かを示す情報である。近距離通信部２７の説明として上述したが、近距離通信部２７は、ＮＦＣやＢｌｕｅｔｏｏｔｈ（登録商標）といった規格に準拠した非接触の近距離通信、又はＵＳＢケーブル等を介した有線による近距離通信を、車載ナビゲーション装置１０又は車両６０との間で行う。このような近距離通信が可能な状態を、携帯端末２０ａが、車両６０又は車載ナビゲーション装置１０と連携をしている状態として扱う。例えば、携帯端末２０ａが、車両６０又は車載ナビゲーション装置１０と、Ｂｌｕｅｔｏｏｔｈ（登録商標）におけるペアリングをした状態を連携している状態として扱う。
本実施形態における近距離通信部２７は、このような連携している状態であるか否かを示す連携情報２２３を記憶部２２に記憶させる。
【０１２３】
判定用情報送信部２１２は、コンテンツ要求部２１１が、コンテンツの配信要求をコンテンツ配信サーバ３０に対して送信する際に、この連携情報２２３に基づいて判定用情報を生成し、この判定用情報をコンテンツ配信サーバ３０に対して送信する。なお、この判定用情報には、携帯端末２０ａが、車両６０又は車載ナビゲーション装置１０が連携しているか否かを示す情報と、識別情報２２２が含まれる。
【０１２４】
そして、携帯端末２０ａが、車両６０又は車載ナビゲーション装置１０が連携しているという情報は、車両６０と、車両６０に連動して起動する車載ナビゲーション装置１０が起動していることを示す情報となる。つまり、本実施形態では、連携を示す情報を、車両６０の起動情報として利用することができる。
【０１２５】
＜本実施形態の動作＞
このような構成において、本実施形態におけるコンテンツ配信部３１２は、携帯端末２０からコンテンツの配信要求を受信した場合に、携帯端末２０から、合わせて判定用情報も受信する。そのため、配信要求元の携帯端末２０に対応する車載ナビゲーション装置１０に判定用情報を問い合わせる必要はなくなる。つまり、図８におけるステップＳ１２を省略することができる。
【０１２６】
その後のステップＳ１３以降の処理や、ステップＳ１１の処理については、第１の実施形態と本実施形態で共通であるので、重複する説明を省略する。
【０１２７】
以上、本実施形態においても、判定用情報に基づいて移動手段をより正確に判定した上で、図６や図７を参照して説明したような移動手段に応じたコンテンツを配信することができる。また、本実施形態では、携帯端末２０から判定用情報を取得することができる。そのため、例えば、車両６０や車載ナビゲーション装置１０が、コンテンツ配信サーバ３０との間で通信をする機能を有していない場合であっても本実施形態を実現することが可能となる。
【０１２８】
＜ハードウェア及びソフトウェアについて＞
なお、上記のナビゲーションシステムに含まれる各機器のそれぞれは、ハードウェア、ソフトウェア又はこれらの組み合わせにより実現することができる。また、上記のナビゲーションシステムに含まれる各機器のそれぞれが協働することにより行なわれるナビゲーション方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１２９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３０】
＜変形例＞
上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１３１】
［第１の変形例］
上述した各実施形態では、図８のステップＳ１４として説明したように、ユーザ５０が車両６０にて施設を訪問可能か否かの観点において配信するコンテンツを選択していた。これに加えて、他の条件も考慮してコンテンツを選択するようにしてもよい。例えば、車載ナビゲーション装置１０における経路案内に関連するコンテンツを配信するようにしてもよい。この場合、車載ナビゲーション装置１０が送信する判定用情報に、経路案内部１１１における経路案内で現在目的地として設定されている施設を示す情報や、この施設までの経路を示す情報を含ませる。
【０１３２】
そして、ステップＳ１５において、この目的地を示す情報及び目的地までの経路を示す情報の何れか又は双方に対応したコンテンツを配信するようにする。例えば、目的地の施設に対応するコンテンツを配信したり、目的地までの経路沿いにある施設に対応するコンテンツを配信したりする。これにより、よりユーザ５０の希望に沿ったコンテンツを配信することが可能となる。
また、これ以外にも、例えばユーザ５０それぞれの属性や、配信する時間帯等の他の条件も考慮してコンテンツを選択するようにしてもよい。
【０１３３】
［第２変形例］
上述した各実施形態では、車載ナビゲーション装置１０が経路案内を行うものとして説明をしたが、例えば、携帯端末２０が経路案内を行う機能を有していてもよい。この場合に、上記の第１の変形例と同様に、経路案内に関連するコンテンツを配信するようにしてもよい。
【０１３４】
この場合、例えば携帯端末２０が送信するコンテンツの配信要求に、携帯端末２０における経路案内で現在目的地として設定されている施設を示す情報や、この施設までの経路を示す情報を含ませる。
そして、ステップＳ１５において、この目的地を示す情報及び目的地までの経路を示す情報の何れか又は双方に対応したコンテンツを配信するようにする。これにより、上記の第１の変形例同様に、よりユーザ５０の希望に沿ったコンテンツを配信することが可能となる。
【０１３５】
［第３変形例］
上述した各実施形態では、携帯端末２０に対してコンテンツを配信していた。これを変形して、車載ナビゲーション装置１０に対してもコンテンツを配信するようにしてもよい。このようにすれば、ユーザ５０は携帯端末２０にて配信要求したコンテンツを車載ナビゲーション装置１０の表示部１５等でも参照することができる。
【０１３６】
［第４変形例］
上述した各実施形態では、車載ナビゲーション装置１０は、経路案内処理を行う装置であることを想定していた。しかし、これに限定されず、車載ナビゲーション装置１０は、他の処理を行う装置であってもよい。つまり、車載ナビゲーション装置１０から経路案内部の１１１や、地図情報１２１を省略するようにしてもよい。
【０１３７】
［第５変形例］
上述した各実施形態の機能的構成を変形するようにしてもよい。つまり、図２、図３、図４、図９、及び図１０の機能的構成は例示に過ぎず、本実施形態の機能的構成を限定するものではない。すなわち、本発明の情報分析機能に関する一連の処理を全体として実行できる機能が各機器に備えられていれば足り、この機能を実現するためにどのような機能ブロックを用いるのかは特に図２、図３、図４、図９、及び図１０の例に限定されない。
【０１３８】
また、これら機能的構成を実現するための装置についても、上述した実施形態での説明は例示に過ぎない。例えば、上述の実施形態では、コンテンツ配信サーバ３０を１つのサーバ装置等により実現すると説明したが、コンテンツ配信サーバ３０の各機能を、適宜複数のサーバ装置に分散する、分散処理システムとしてもよい。また、クラウド上で仮想サーバ機能等を利用して、コンテンツ配信サーバ３０の各機能を実現してもよい。
【０１３９】
特に、例えば第３の実施形態において、判定用情報蓄積部３１３の機能と、蓄積用判定用情報３２３を記憶する機能とを備えるサーバを別途設け、コンテンツ配信サーバ３０が、この別途のサーバに対して、判定用情報を問い合わせるようにしてもよい。この構成は、特に、この別途のサーバがコンテンツの配信以外の用途で判定用情報を収集して利用するような場合に、好適である。
【符号の説明】
【０１４０】
１  コンテンツ配信システム
１０  車載ナビゲーション装置
１１、２１、３１  制御部
１１１  経路案内部
１１２、２１２  判定用情報送信部
１２、２２、３２  記憶部
１２１  地図情報
１２２、２２１  位置情報
１２３、２２２  識別情報
１３、２３、３３  通信部
１４、２４  センサ部
１５、２５、３４  表示部
１６、２６、３５  入力部
２０、２０ａ  携帯端末
２１１  コンテンツ要求部
２２３  連携情報
２７  近距離通信部
３０、３０ａ  コンテンツ配信サーバ
３１１  判定用情報取得部
３１２  コンテンツ配信部
３１３  判定用情報蓄積部
３２１  顧客管理データベース
３２２  コンテンツ群
３２３  蓄積判定用情報
４０  通信網
５０  ユーザ
６０  車両
【図１】
2018200255.tif 000003
【図２】
2018200255.tif 000004
【図３】
2018200255.tif 000005
【図４】
2018200255.tif 000006
【図５】
2018200255.tif 000007
【図６】
2018200255.tif 000008
【図７】
2018200255.tif 000009
【図８】
2018200255.tif 000010
【図９】
2018200255.tif 000011
【図１０】
2018200255.tif 000012
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
施設に関連するコンテンツを複数記憶する記憶部と、
判定用情報として、車両の起動情報及び前記車両の位置情報の何れか又は双方を前記車両の車載装置から取得する取得部と、
携帯端末に対して前記記憶部が記憶するコンテンツを配信するコンテンツ配信部と、を備え、
前記コンテンツ配信部は、前記取得部が取得した前記判定用情報が、前記車両が起動していることを示す場合はユーザが前記施設に前記車両にて訪問可能であると判定し、車両が起動していることを示さない場合には前記施設に前記車両にて訪問不可能であると判定し、これら前記車両の起動に関する判定結果に基づいて、前記記憶部が記憶する複数のコンテンツの内の何れのコンテンツを前記携帯端末に対して配信するのかを決定することを特徴とするコンテンツ配信サーバ。
【請求項２】
前記取得部はさらに、前記携帯端末からコンテンツの配信要求を受けた場合に、前記コンテンツの配信要求元の携帯端末に対応する車両の車載装置に対して該車両の前記判定用情報を要求し、該要求の応答として該車両の前記判定用情報を前記車載装置から取得することを特徴とする請求項１に記載のコンテンツ配信サーバ。
【請求項３】
前記車両の起動を契機として、該車両の前記判定用情報を該車両の車載装置から受信して蓄積する蓄積部を更に備え、
前記取得部はさらに、前記携帯端末からコンテンツの配信要求を受けた場合に、前記コンテンツの配信要求元の携帯端末に対応する車両の判定用情報を前記蓄積部から取得することを特徴とする請求項１に記載のコンテンツ配信サーバ。
【請求項４】
前記携帯端末の識別情報と前記車両の識別情報とをユーザ毎に対応付けた顧客管理データベースを更に備え、
前記取得部はさらに、前記コンテンツの配信要求元の携帯端末から携帯端末の識別情報を取得し、該取得した携帯端末の識別情報と、前記データベースとを参照することにより、前記コンテンツの配信要求元の携帯端末に対応する車両を特定することを特徴とする請求項２又は３に記載のコンテンツ配信サーバ。
【請求項５】
前記取得部はさらに、
前記コンテンツの配信要求元の携帯端末から携帯端末の位置情報を取得し、該携帯端末の位置情報により特定される携帯端末の位置が、前記判定用情報により特定される車両の位置から所定の範囲内にある場合に該車両を前記コンテンツの配信要求元の携帯端末に対応する車両として特定する請求項２又は３に記載のコンテンツ配信サーバ。
【請求項６】
施設に関連するコンテンツを複数記憶する記憶部と、
判定用情報として、携帯端末と車両の車載装置とが連携している状態にあるか否かを示す連携情報を前記携帯端末から取得する取得部と、
携帯端末に対して前記記憶部が記憶するコンテンツを配信するコンテンツ配信部と、を備え、
前記コンテンツ配信部は、前記取得部が取得した前記判定用情報が、前記車両が起動していることを示す場合はユーザが前記施設に前記車両にて訪問可能であると判定し、車両が起動していることを示さない場合には前記施設に前記車両にて訪問不可能であると判定し、これら前記車両の起動に関する判定結果に基づいて、前記記憶部が記憶する複数のコンテンツの内の何れのコンテンツを前記携帯端末に対して配信するのかを決定することを特徴とするコンテンツ配信サーバ。
【請求項７】
前記連携情報は、前記携帯端末と前記車載装置とが近距離通信を行っているか否かを示す情報であることを特徴とする請求項６に記載のコンテンツ配信サーバ。
【請求項８】
前記コンテンツ配信部はさらに、ユーザが前記施設に前記車両にて訪問可能であると判定した場合に、前記記憶部が記憶するコンテンツであって、駐車場が付帯する施設に関連するコンテンツを前記携帯端末に対して配信することを特徴とする請求項１から請求項７までの何れか１項に記載のコンテンツ配信サーバ。
【請求項９】
前記取得部はさらに、前記車両の車載装置に経路案内における目的地が設定されている場合に、前記目的地を示す情報及び目的地までの経路を示す情報の何れか又は双方を前記車載装置から取得し、
前記コンテンツ配信部は、前記記憶部が記憶するコンテンツであって、前記目的地を示す情報及び目的地までの経路を示す情報の何れか又は双方に対応したコンテンツを前記携帯端末に対して配信することを特徴とする請求項１から請求項８までの何れか１項に記載のコンテンツ配信サーバ。
【請求項１０】
施設に関連するコンテンツを複数記憶する記憶ステップと、
判定用情報として、車両の起動情報及び前記車両の位置情報の何れか又は双方を前記車両の車載装置から取得する取得ステップと、
携帯端末に対して前記記憶ステップにて記憶するコンテンツを配信するコンテンツ配信ステップと、を備え、
前記コンテンツ配信ステップでは、前記取得ステップにて取得した前記判定用情報が、前記車両が起動していることを示す場合はユーザが前記施設に前記車両にて訪問可能であると判定し、車両が起動していることを示さない場合には前記施設に前記車両にて訪問不可能であると判定し、これら前記車両の起動に関する判定結果に基づいて、前記記憶ステップにて記憶する複数のコンテンツの内の何れのコンテンツを前記携帯端末に対して配信するのかを決定することを特徴とするコンテンツ配信方法。
【請求項１１】
施設に関連するコンテンツを複数記憶する記憶ステップと、
判定用情報として、携帯端末と車両の車載装置とが連携している状態にあるか否かを示す連携情報を前記携帯端末から取得する取得ステップと、
携帯端末に対して前記記憶ステップにて記憶するコンテンツを配信するコンテンツ配信ステップと、を備え、
前記コンテンツ配信ステップでは、前記取得ステップにて取得した前記判定用情報が、前記車両が起動していることを示す場合はユーザが前記施設に前記車両にて訪問可能であると判定し、車両が起動していることを示さない場合には前記施設に前記車両にて訪問不可能であると判定し、これら前記車両の起動に関する判定結果に基づいて、前記記憶ステップにて記憶する複数のコンテンツの内の何れのコンテンツを前記携帯端末に対して配信するのかを決定することを特徴とするコンテンツ配信方法。